(57)【特許請求の範囲】
【請求項１】
下記（ａ）成分、及び（ｂ）成分として（ｂ−１）成分又は（ｂ−２）、並びに香料を含有し、（ａ）成分と（ｂ）成分の総量が10.5〜40重量％であり、（ａ）成分／（ｂ）成分の重量比が10〜40であることを特徴とする衣料用柔軟仕上剤組成物。
（ａ）成分：下記一般式（Ｉ）〜（Ｖ）から選ばれる１種又は２種以上のアミン化合物及びその無機酸又は炭素数１〜６の有機酸による中和物並びにその第４級化物
【化１】
0003703929.tif 000017
〔式中、
R1：分断基も含めて炭素数が16〜25の、エステル基又はアミド基で分断されたアルキル基又はアルケニル基
R2, R3：炭素数が１〜４のアルキル基又はアルケニル基〕
【化２】
0003703929.tif 000018
〔式中、
R4：分断基も含めて炭素数が16〜25の、エステル基又はアミド基で分断されたアルキル基又はアルケニル基
R5：分断基も含めて炭素数が16〜25の、エステル基又はアミド基で分断されたアルキル基又はアルケニル基、あるいは炭素数14〜24のアルキル基又はアルケニル基
R6：炭素数が１〜４のアルキル基又はヒドロキシアルキル基〕
【化３】
0003703929.tif 000019
〔式中、
R7, R8, R9：分断基も含めて炭素数が15〜25の、エステル基又はアミド基で分断されたアルキル基又はアルケニル基〕
【化４】
0003703929.tif 000020
〔式中、
Y ：-NH-あるいは-O-
Z ：H 又は-CORb
Ra、Rb：同一又は異なって炭素数13〜23のアルキル基又はアルケニル基〕
【化５】
0003703929.tif 000021
〔式中、
Rc, Rd：同一又は異なって炭素数13〜23のアルキル基又はアルケニル基
Re, Rf：同一又は異なって炭素数１〜４のアルキル基又はヒドロキシアルキル基
ｐ：１〜３の整数〕
（ｂ−１）成分：亜硫酸ナトリウム、亜硫酸カルシウム、チオ硫酸ナトリウム、二酸化チオ尿素及び亜二チオン酸ナトリウムから選ばれる１種又は２種以上の化合物
（ｂ−２）成分：H2O2及び有機過酸から選ばれる１種又は２種以上の化合物
【請求項２】
請求項１記載のアミン化合物が下記（Ａ−１）〜（Ａ−５）で表される化合物である請求項１記載の衣料用仕上剤組成物。
【化６】
0003703929.tif 000022
〔式中、
Rg, Rh：同一又は異なって炭素数13〜23のアルキル基又はアルケニル基
Rb, Rc, Rd, Re, Rf：前述の意味を示す
m, n：２又は３〕
【発明の詳細な説明】
【０００１】
【発明の属する技術分野】
本発明は衣料の洗浄処理等に用いられる水道水による柔軟仕上剤中の香料が劣化することを抑制し得る衣料用柔軟仕上剤組成物に関する。
【０００２】
【従来の技術及び発明が解決しようとする課題】
柔軟仕上剤は柔軟性や帯電防止性はもちろん、洗濯すすぎ中の匂い及び脱水、乾燥後に衣類に残存する香りが重要である。しかしながら、一般に洗浄処理、柔軟処理には水道水が用いられ、この水道水中に含まれる塩素等の影響により、柔軟仕上剤中の香料が劣化し、十分な賦香効果が得られないことがある。
【０００３】
【課題を解決するための手段】
そこで本発明者らは、柔軟仕上剤における脱水、乾燥後の香りをよりフレッシュに保つべく、鋭意努力した結果、特定のアミン化合物の無機酸又は炭素数１〜６の有機酸の中和物又は４級化物と、特定の還元剤又は酸化剤を配合することにより、脱水処理布、及び乾燥布の匂いの悪化を防止することを見出し、本発明を完成するに至った。
【０００４】
すなわち本発明は、下記（ａ）成分、及び（ｂ）成分として（ｂ−１）成分又は（ｂ−２）、並びに香料を含有し、（ａ）成分と（ｂ）成分の総量が10.5〜40重量％であり、（ａ）成分／（ｂ）成分の重量比が10〜40であることを特徴とする衣料用柔軟仕上剤組成物を提供するものである。
（ａ）成分：下記一般式（Ｉ）〜（Ｖ）から選ばれる１種又は２種以上のアミン化合物及びその無機酸又は炭素数１〜６の有機酸による中和物並びにその第４級化物
【０００５】
【化７】
0003703929.tif 000002
【０００６】
〔式中、
R1：分断基も含めて炭素数が16〜25の、エステル基又はアミド基で分断されたアルキル基又はアルケニル基
R2, R3：炭素数が１〜４のアルキル基又はアルケニル基〕
【０００７】
【化８】
0003703929.tif 000003
【０００８】
〔式中、
R4：分断基も含めて炭素数が16〜25の、エステル基又はアミド基で分断されたアルキル基又はアルケニル基
R5：分断基も含めて炭素数が16〜25の、エステル基又はアミド基で分断されたアルキル基又はアルケニル基、あるいは炭素数14〜24のアルキル基又はアルケニル基
R6：炭素数が１〜４のアルキル基又はヒドロキシアルキル基〕
【０００９】
【化９】
0003703929.tif 000004
【００１０】
〔式中、
R7, R8, R9：分断基も含めて炭素数が15〜25の、エステル基又はアミド基で分断されたアルキル基又はアルケニル基〕
【００１１】
【化１０】
0003703929.tif 000005
【００１２】
〔式中、
Y ：-NH-あるいは-O-
Z ：H 又は-CORb 
Ra、Rb：同一又は異なって炭素数13〜23のアルキル基又はアルケニル基〕
【００１３】
【化１１】
0003703929.tif 000006
【００１４】
〔式中、
Rc, Rd：同一又は異なって炭素数13〜23のアルキル基又はアルケニル基
Re, Rf：同一又は異なって炭素数１〜４のアルキル基又はヒドロキシアルキル基ｐ：１〜３の整数〕
（ｂ−１）成分：亜硫酸ナトリウム、亜硫酸カルシウム、チオ硫酸ナトリウム、二酸化チオ尿素及び亜二チオン酸ナトリウムから選ばれる１種又は２種以上の化合物
（ｂ−２）成分：H2O2及び有機過酸から選ばれる１種又は２種以上の化合物
以下に本発明について詳細に説明する。
【００１５】
〔（ａ）成分〕
本発明では、上記一般式（Ｉ）〜（Ｖ）から選ばれる１種又は２種以上のアミン化合物、その無機酸又は炭素数１〜６の有機酸による中和物、及びその第４級化物が使用される。
前記一般式（Ｉ）で表される化合物のなかで、さらに好ましくは下記一般式（Ｉ−１）〜（Ｉ−４）で表される化合物が例示される。
【００１６】
【化１２】
0003703929.tif 000007
【００１７】
〔式中、
X11, X12：アルキレン基を示す。
R11, R12：アルキル基又はアルケニル基であり、 R11とX11 、 R12とX12 の合計炭素数はそれぞれ15〜24である。
R2, R3：同一又は異なって炭素数１〜４のアルキル基又はヒドロキシアルキル基
を示す。〕
前記一般式（II）で表される化合物のなかで、さらに好ましくは一般式（II−１）〜（II−10) で表される化合物が例示される。
【００１８】
【化１３】
0003703929.tif 000008
【００１９】
【化１４】
0003703929.tif 000009
【００２０】
〔式中、
X21, X22, X23, X24：アルキレン基を示す。
R41, R51：アルキル基又はアルケニル基であり、 R41とX21 、 R51とX22 の合計炭素数はそれぞれ15〜24である。
R42, R52：アルキル基又はアルケニル基であり、 R42とX24 、 R52とX23 の合計炭素数はそれぞれ15〜24である。
R6：炭素数１〜４のアルキル基又はヒドロキシアルキル基を示す。〕
前記一般式(III) で表される化合物のなかで、さらに好ましくは下記一般式(III−１）〜(III−３）で表される化合物が挙げられる。
【００２１】
【化１５】
0003703929.tif 000010
【００２２】
〔式中、
X31, X32, X33 ：アルキレン基を示す。
R71, R81, R91 ：アルキル基又はアルケニル基であり、 R71とX31 、 R81とX32 の合計炭素数はそれぞれ15〜24である。〕
前記一般式（IV）で表される化合物のなかで、さらに好ましくは下記（IV−１）〜（IV−３）の化合物が挙げられる。
【００２３】
【化１６】
0003703929.tif 000011
【００２４】
前記一般式（Ｖ）で表される化合物のなかで、さらに好ましくは下記（Ｖ−１）〜（Ｖ−２）の化合物が挙げられる。
【００２５】
【化１７】
0003703929.tif 000012
【００２６】
上記一般式中の基
【００２７】
【化１８】
0003703929.tif 000013
【００２８】
は、通常、ステアリン酸、パルミチン酸等の飽和高級脂肪酸、オレイン酸、エライジン酸、リノール酸、リノレン酸等の不飽和高級脂肪酸、牛脂、豚脂、パーム油、パーム核油、大豆油、サフラワー油、ヒマワリ油、オリーブ油等の天然油脂を分解、精製して得られる脂肪酸から由来するものであるが、この中でも特にオレイン酸、ステアリン酸、牛脂脂肪酸、硬化牛脂脂肪酸、パーム油脂肪酸、硬化パーム油脂肪酸、パーム核油脂肪酸、硬化パーム核油脂肪酸が好適である。なお、不飽和高級脂肪酸としては、立体異性体がシス体又はトランス体であっても、あるいは両者の混合物であってもよいが、特にシス体／トランス体の比率が25／75〜 100／０（重量比）であることが好ましい。
【００２９】
X11,X12, X21〜X24, X31〜X33 は同一でも異なっていてもよい。R12, R14は、炭素数１〜４のアルキレン基であり、具体的にはメチレン基、エチレン基、プロピレン基、ブチレン基であり、直鎖状でも分岐鎖状でもよい。
【００３０】
R12, R42, R52 の具体例としては、ラウリル基、ミリスチル基、パルミチル基、ステアリル基、オレイル基、リノール基、リノレン基などが挙げられる。
【００３１】
R2, R3, R6は同一又は異なっていてもよく、それぞれ炭素数１〜４のアルキル基又はヒドロキシアルキル基であり、具体的にはメチル基、エチル基、プロピル基、ブチル基、ヒドロキシメチル基、ヒドロキシエチル基、ヒドロキシプロピル基、ヒドロキシブチル基が挙げられるが、特にメチル基、エチル基、ヒドロキシエチル基が好ましい。
【００３２】
また、（ａ）成分のアミン化合物は、そのまま使用してもよく、酸で中和して酸塩として使用してもよい。酸としては、例えば、塩酸、硫酸、硝酸、リン酸、グリコール酸、乳酸、クエン酸、高分子アクリル酸等を挙げることができる。また、メチルクロリドやジアルキル硫酸等を用いた公知の方法で得られる４級化物を使用してもよい。また、（Ｉ）〜（Ｖ）はそれぞれ単独として使用してもよく、混合物として使用してもよい。また、アミンと酸塩又は４級化物とを併用してもよい。
【００３３】
〔（ｂ）成分〕
本発明では、（ｂ）成分として（ｂ−１）成分又は（ｂ−２）成分を配合する。（ｂ−１）成分は、亜硫酸ナトリウム、亜硫酸カルシウム、チオ硫酸ナトリウム、二酸化チオ尿素及び亜二チオン酸ナトリウムから選ばれる１種又は２種以上の化合物である。また、（ｂ−２）成分は、H2O2及び有機過酸から選ばれる１種又は２種以上の化合物である。ここで、有機過酸は一般に漂白剤として用いられるペルオキソ酸であり、有機過酸として配合されてもよいし、有機過酸前駆体と過酸化水素を発生する化合物（過炭酸塩、過ホウ酸塩等）と組み合わせて配合されてもよい。これらを配合することにより、柔軟仕上剤組成物で処理した後、衣料を脱水した際、或いは更に乾燥した際の匂いの劣化を抑制することができる。
【００３４】
【発明の実施の形態】
本発明の衣料用柔軟仕上剤組成物において、上記の（ａ）成分、（ｂ）成分の配合量は、その総量〔（ａ）＋（ｂ）〕は４〜40重量％であり、好ましくは５〜20重量％である。また、その配合比率（重量比）は、（ａ）成分／（ｂ）成分＝４〜40が好ましく、さらに好ましくは５〜20である。この範囲において本発明の効果が良好に得られる。
【００３５】
本発明の柔軟仕上剤組成物には、上記（ａ）、（ｂ）成分以外にその他の任意成分として、公知の成分を本発明の効果を妨げない範囲で配合することができる。任意成分としては、例えば、ポリオキシエチレン（５〜50モル）アルキル又はアルケニル(C12〜C24)アミン、又はポリオキシエチレン（５〜50モル）アルキル又はアルケニル(C12〜C24)エーテル等の非イオン界面活性剤、ジ長鎖アルキル(C10〜C22)ジ短鎖アルキル(C1〜C4)第４級アンモニウム塩等の第４級アンモニウム塩、ステアリン酸、オレイン酸等の高級脂肪酸、２−エチルヘキサン酸とグリセリン又はペンタエリスリトールとの部分エステル化物等の非イオン界面活性剤、食塩、塩化アンモニウム、塩化カルシウム、塩化マグネシウム、塩化カリウム等の水溶性塩、エチルアルコール、イソプロピルアルコール、エチレングリコール、プロピレングリコール、イソプレングリコール、ヘキシレングリコール等の溶剤、尿素、殺菌剤、酸化防止剤、染料、顔料、シリコーン類、炭化水素、セルロース誘導体、紫外線吸収剤、蛍光増白剤等が挙げられる。
【００３６】
さらに本発明の組成物の水への分散性を向上させるために、水酸基、アミノ基等の活性水素を３個以上有する化合物にエチレンオキシドと必要によりプロピレンオキシド及び／又はトリメチレンオキシドが付加してなり、重量平均分子量が 5,000〜2,000,000 であり、分子量中に占めるオキシエチレン基部分の割合が55重量％以上であるポリエーテル化合物又はその誘導体を仕上剤組成物中 0.1〜５重量％含有することが好ましい。
なお、本発明の（ａ）成分、（ｂ）成分は予め混合して浴中に添加してもよいし、別々に浴中に投入することもできる。
【００３７】
【発明の効果】
本発明によれば、洗濯浴中での香料の劣化が抑制され、処理布や乾燥布の匂いの悪化の少ない衣料用柔軟仕上剤組成物が得られる。
【００３８】
【実施例】
次に本発明を実施例をもって詳述するが、本発明はこれらの実施例に限定されるものではない。
【００３９】
下記の実施例及び比較例で用いた（ａ）成分及び（ｂ）成分の化合物を以下の表１、２に示す。
【００４０】
【表１】
0003703929.tif 000014
【００４１】
【表２】
0003703929.tif 000015
【００４２】
実施例１〜15及び比較例１〜２
上記表１〜表２に示す成分を使用して、下記表３に示した柔軟仕上剤組成物を調製し、以下の方法で衣料を処理し、脱水布並びに処理布の匂い評価を行った。結果を表3 に示す。なお、いずれの組成物もCaCl2 を 0.1重量％、香料を 0.3重量％配合し、残部を水道水として調製した。
【００４３】
＜処理方法＞
(1) 市販の木綿タオル２kg、アクリルジャージ１kgを 3.5°DH硬水にて市販洗剤アタック〔花王（株）製、登録商標〕にて、５回繰り返し洗濯をし、各繊維についていた、繊維処理剤を除去した後、表３の配合組成物を、有効成分として 1.5ｇ投入し、25℃水道水にて、１分間攪拌し処理をした。
(2) 評価方法
上記(1) 記載の処理方法で処理した衣料の脱水布並びに室内で風乾後の布の匂いを、比較例１の組成物で処理した布を対照として比較した。
○：対照より良い。
×：対照と同等。
【００４４】
【表３】
0003703929.tif 000016